(57)【要約】【課題】寒冷地仕様の水栓の施工性を向上させることができ、ホースとの接続部分からの「水漏れ」を防止できる水抜き栓付き接続具と、水栓を提供する。【解決手段】水抜き栓付き接続具は、デッキ部等に設置され、流体の流出管を設置部の挿通部を通じて設置部の下方に突出させる水栓本体部と、吐水ヘッドと、挿通部等に挿通されつつ設置部の下方に挿入されるホース（シャワーホース等）を具備する水栓において、流出管とホースを接続する。流出管の突端部が接続される接続口５２ｄを上方に開口させ、水抜き栓５７が着脱される着脱口５２ｅを下方に開口させた管状本体部５２と、管状本体部５２の上下方向中間部から膨出して管状本体部５２の管壁の一部と共に管軸を下り傾斜状等とする副管状部５５を構成する膨出部５４とを備える。副管状部５５にはホースの他端部が接続される。【選択図】図３
2011021425.tif 000002
【特許請求の範囲】
【請求項１】
吐止水の選択機構を内蔵しつつ所定の設置部に設置されるとともに、前記選択機構に施される吐水操作に応じて流出させる流体を通過させる流出管を、前記設置部を貫通する挿通部を通じて前記設置部の下方に突出させる水栓本体部と、
前記水栓本体部若しくは設置部の上方の所定の部位に設けられる支持部に着脱自在に支持される吐水ヘッドと、
一端部が前記吐水ヘッドに接続されるとともに前記水栓本体部内の通過路及び前記挿通部に挿通されつつ前記設置部の下方に引き出し可能若しくは引き出し不可能に挿入されるホースと、
を具備する水栓において、前記流出管の突端部と前記ホースの他端部とを接続する、水抜き栓付き接続具であって、
前記流出管の突端部が接続される接続口を上方に開口させ、水抜き栓が着脱される着脱口を下方に開口させた管状本体部と、
前記管状本体部の上下方向中間部から膨出して前記管状本体部の管壁の一部と共に管軸を上り傾斜状若しくは下り傾斜状とする副管状部を構成する膨出部と、
を備え、
前記副管状部の管内空間は前記管状本体部の管内空間と連通するとともに、前記副管状部に前記ホースの他端部が接続される接続口が設けられることを特徴とする、水抜き栓付き接続具。
【請求項２】
前記流出管の突端部が接続される接続口の開口方向と、前記ホースの他端部が接続される接続口の開口方向とが形成する角度が、２０度以下の鋭角若しくは１６０度以上の鈍角とされることを特徴とする請求項１に記載の水抜き栓付き接続具。
【請求項３】
前記副管状部の内壁には、前記ホースの他端部を螺合固定するための雌ネジ部が設けられるとともに、
前記雌ネジ部を構成するネジ溝が、前記管状本体部の管壁と前記膨出部とを縦断することを特徴とする請求項１又は２に記載の水抜き栓付き接続具。
【請求項４】
前記水栓本体部には湯と水を混合するための混合機構が内蔵されるとともに、
前記水栓本体部に給湯を行うための給湯管と、前記水栓本体部に給水を行うための給水管とが、前記挿通部に挿通されることを特徴とする請求項１〜３の何れかに記載の水抜き栓付き接続具。
【請求項５】
請求項１〜４の何れかに記載の水抜き栓付き接続具を備えることを特徴とする水栓。
【発明の詳細な説明】
【技術分野】
【０００１】
本発明は、水抜き栓付き接続具と、この水抜き栓付き接続具を備える水栓に関する。
【背景技術】
【０００２】
水栓本体部とシャワーヘッドとをデッキ部の上方に配設するとともに、シャワーヘッドが一端部に接続されるシャワーホースを、水栓本体部内とデッキ部の挿通孔に挿通して、デッキ部の下方に引き出し可能に収納した水栓が従来より用いられている。かかる水栓として、水栓本体部から湯水を流出させるために、水栓本体部から突出する流出管を、挿通孔を通じてデッキ部の下方に到達させるとともに、流出管の突端部とシャワーホースの他端部とを接続具を介して接続したものが開示されている（特許文献１を参照、以下、「従来例」という。）。
【０００３】
かかる従来例に係る水栓は、一般地（寒冷地以外の土地を指す。）のみならず、寒冷地においても使用することができる。つまり、前述の従来例として、一般地で使用する水栓（以下、「一般地仕様の水栓」といい、特許文献１の図２を参照）の他に、寒冷地で使用する水栓（以下、「寒冷地仕様の水栓」といい、特許文献１の図３を参照）とが開示されている。
【先行技術文献】
【特許文献】
【０００４】
【特許文献１】特開平７−２８６３４５号公報
【発明の概要】
【発明が解決しようとする課題】
【０００５】
一般地仕様の水栓１００Ａにおいては、図１１に示すように、流出管１１０の突端部と、シャワーホース１２０の他端部とが、略直管状の接続具１５０Ａで接続される。かかる一般地仕様の水栓１００Ａでは、シャワーホース１２０と流出管１１０とを接続しない状態で、デッキ部２００の上方から挿通孔２０１に挿通し、デッキ部２００の下方で、接続具１５０Ａを用いて、シャワーホース１２０と流出管１１０とを接続するのが一般的である。つまり、シャワーホース１２０と流出管１１０とを予め接続しない状態で、この水栓１００Ａをデッキ部２００の上方に配設し、水栓本体１００に流体の供給を行う供給管（例えば、給湯管１６０及び給水管１７０）とともに、シャワーホース１２０及び流出管１１０を、デッキ部２００の挿通孔２０１に挿通する。そして、水栓本体１００で挿通孔２０１を隠蔽するようにして水栓本体１００をデッキ部２００に設置し、供給管（例えば、給湯管１６０及び給水管１７０）と、流体の供給源（例えば、給湯用の元配管１８１、給水用の元配管１８５）とを接続する作業と、シャワーホース１２０と流出管１１０とを接続具１５０Ａを用いて接続する作業等を行うことで、一般地仕様の水栓１００Ａの施工を完了することになる。
【０００６】
寒冷地仕様の水栓１００Ｂ（図１１に括弧書で付記）においては、前述の接続具１５０Ａとは形状が異なる接続具１５０Ｂ（図１１に括弧書で付記）を用いるが、この寒冷地仕様の水栓１００Ｂにおいても、シャワーホース１２０と流出管１１０とを接続しない状態で水栓本体１００をデッキ部２００に設置した後、デッキ部２００の下方でシャワーホース１２０と流出管１１０との接続を行うのが一般的である。
【０００７】
ところで、本出願人は、何れのタイプの水栓１００Ａ、１００Ｂにおいても、シャワーホース１２０と流出管１１０とを予め接続した状態で、デッキ部２００に設置することが望ましいと考える。つまり、シャワーホース１２０と接続具１５０Ａ、１５０Ｂとの接続は、一方に設けられる雄ネジ部と他方に設けられる雌ネジ部とを螺合して行われるのが一般的である。例えば、シャワーホース１２０の他端部に設けられる雄ネジを、管状部１５５の内壁に設けられる雌ネジ部に螺合して行うことができるが、「デッキ部２００の下方の狭い空間内で、雄ネジを雌ネジ部に締め付ける締付作業」の作業性が悪いため、この締付作業が原因となり、水栓１００Ａ、１００Ｂの施工性を低下させるおそれがある。また、現場施工による締付作業では、雄ネジの雌ネジ部に対する締付力（締付トルク）を適正値に規制することが困難であるため、水栓の使用期間の経過に伴って雄ネジと雌ネジ部との間の螺合が緩み、シャワーホース１２０と接続具１５０Ｂとの接続部分から「水漏れ」を生ずる可能性もからである。なお、このように、シャワーホースと流出管とを予め接続した状態で、水栓を設置部（デッキ部等）に設置することを「上面設置」という。
【０００８】
しかしながら、寒冷地仕様の水栓１００Ｂにおいては、図１２に示すように、接続具１５０Ｂの形態が原因となり、「上面設置」が困難若しくは不可能となっている。つまり、この水栓１００Ｂに適用される接続具１５０Ｂにおいては、「流出管１１０の突端部が接続される部分」を上方に配設するとともに、「水抜き栓１５７が着脱される部分」を下方に配設した管状本体部１５１を備える。また、この接続具１５０Ｂは、単独で筒形状を構成する管状部１５５を管状本体部１５１の外周部から水平方向に突出させ、この管状部１５５にシャワーホース１２０の他端部が接続される。
【０００９】
このように、寒冷地仕様の水栓１００Ｂに適用する接続具１５０Ｂでは、「単独で筒形状を構成する管状部１５５」を水平方向に突出させる分だけ、「挿通孔２０１の幅方向（径方向）に沿ったサイズ」が大きくなる。そして、この接続具１５０Ｂを挿通孔２０１に挿通すること自体が困難なため、「上面設置」が困難となる。
【００１０】
しかも、この寒冷地仕様の水栓１００Ｂでは、管状部１５５に接続されるシャワーホース１２０の存在が、この「上面設置」を更に困難なものとしている。つまり、シャワーホース１２０の他端部が、水平方向に突出する管状部１５５に接続されると、シャワーホース１２０の他端部寄りの部位１２０ａは、自身の剛性のため、その軸心を水平方向に向けようとする。このため、水栓本体１００の下方において、シャワーホース１２０が描く経路は水平方向に長軸を向けた半長円状の経路となり易い。従って、水栓本体１００の下方に配設されるシャワーホース１２０において、挿通孔２０１の幅方向（図中の矢印Ｘの方向）への広がりが、大きくなり、このシャワーホース１２０を挿通孔２０１に挿通することが困難となるからである。なお、シャワーホース１２０として、アウター管（通常、金属製で略蛇腹状の螺旋管を用いて構成される管状体）と、アウター管に挿通させるインナー管（通常、樹脂製チューブによって構成される管状体）とを備える複層管を用いて構成した場合、この幅方向への広がりが、特に大きくなり、「上面設置」が更により一層困難なものとなる。
【００１１】
従って、寒冷地仕様の水栓１００Ｂにおいては、挿通孔２０１のサイズを、「水栓本体１００の底面積」を遙かに超えるものとしない限り、「上面設置」を行うことが困難である。よって、寒冷地仕様の水栓１００Ｂでは、シャワーホース１２０と流出管１１０とを接続しない状態で水栓本体１００をデッキ部２００に設置した後、デッキ部２００の下方でシャワーホース１２０と流出管１１０とを接続せざるを得ないが実情である。このため、寒冷地仕様の水栓１００Ｂにおいて、「上面設置」を可能とし、施工性を向上させたり、シャワーホース１２０と流出管１１０との接続部分からの「水漏れ」を防止することが望まれている。
【００１２】
本発明は、上述の課題を解決するものであり、寒冷地仕様の水栓の施工性を向上させることができるとともに、ホースとの接続部分からの「水漏れ」を防止できる水抜き栓付き接続具と、この水抜き栓付き接続具を備える水栓とを提供することを目的とする。
【課題を解決するための手段】
【００１３】
請求項１の発明の水抜き栓付き接続具（以下、「水抜き栓付き接続具」を単に「接続具」と称する）は、
吐止水の選択機構を内蔵しつつ所定の設置部に設置されるとともに、前記選択機構に施される吐水操作に応じて流出させる流体を通過させる流出管を、前記設置部を貫通する挿通部を通じて前記設置部の下方に突出させる水栓本体部と、
前記水栓本体部若しくは設置部の上方の所定の部位に設けられる支持部に着脱自在に支持される吐水ヘッドと、
一端部が前記吐水ヘッドに接続されるとともに前記水栓本体部内の通過路及び前記挿通部に挿通されつつ前記設置部の下方に引き出し可能若しくは引き出し不可能に挿入されるホースと、
を具備する水栓において、前記流出管の突端部と前記ホースの他端部とを接続する、水抜き栓付き接続具であって、
前記流出管の突端部が接続される接続口を上方に開口させ、水抜き栓が着脱される着脱口を下方に開口させた管状本体部と、
前記管状本体部の上下方向中間部から膨出して前記管状本体部の管壁の一部と共に管軸を上り傾斜状若しくは下り傾斜状とする副管状部を構成する膨出部と、
を備え、
前記副管状部の管内空間は前記管状本体部の管内空間と連通するとともに、前記副管状部に前記ホースの他端部が接続される接続口が設けられることを特徴とする。
【００１４】
請求項１の発明の接続具では、「ホースが接続される接続口を構成する副管状部」を単独で筒形状を構成する管状体ではなく、管状本体部の管壁の一部と膨出部とを用いて構成する。つまり、「管状本体部の管壁の一部」を「副管状部の管壁の一部（周方向に沿った一部）」としつつ、これに残部を構成する膨出部を組み合わせて略管状に構成する。しかも、副管状部の管軸を上り傾斜状若しくは下り傾斜状とされるため、副管状部の管状本体部側方への突出量が少なくなる（膨出部の膨出量に止まる。）。従って、「挿通部の幅方向（挿通部が円形孔の場合、挿通部の径方向）に沿ったサイズを抑制できるため、「上面設置」が容易となる。
【００１５】
また、請求項１の発明の接続具では、副管状部の管軸が上り傾斜状若しくは下り傾斜状とされ、この副管状部にホースが接続されることで、ホースの他端部側が傾斜状とされる。このため、ホースにおける「挿通部の幅方向（挿通部が円形孔の場合、径方向）に沿った広がり」を抑制できる。例えば、ホースの設置部の下方での経路を「長軸が上下若しくは傾斜方向を向く半長円状」等として、この広がり」を抑制できる。そして、この点からも、「上面設置」が容易となる。なお、各請求項の発明において、副管状部の管軸を上り傾斜状とすると、ホースの長さを短くすることができる、というメリットを生ずる。
【００１６】
このように、請求項１の発明によると、現場施工でホースと流出管とを接続することが要求されないため（例えば、予め、水栓の製造メーカ等で接続すればよいため）、寒冷地仕様の水栓の施工性を向上させることができる。また、水栓の製造メーカ等において、締付トルクを適正値に規制しつつ、ホースと接続具とを接続すればよいため、ホースと接続具との接続部分からの「水漏れ」を防止することができる。
【００１７】
各請求項の発明の「膨出部」としては、例えば、「リング形状、枠形状等の閉じた形状から一部を切り欠いた断面形状」を備えるもの、より具体的には、略Ｃ字状、略Ｕ字状若しくは略コの字状等の断面形状を備えるものを例示できる。例えば、断面形状が略Ｃ字状、略Ｕ字状、略コの字状等となる略樋形状若しくは略トンネル形状の膨出部や、このような樋形状若しくは略トンネル形状の膨出部本体を備える膨出部を例示できる。つまり、この樋形状若しくは略トンネル形状の膨出部や膨出部本体においては、その経路方向とは交差する位置の開口部（経路方向に沿った端部の開口部以外の開口部）側に、「管状本体部の管壁の一部」が一体化され、この「管状本体部の管壁の一部」とともに、副管状部を構成する。
【００１８】
各請求項の発明の「吐水ヘッド」としては、シャワー吐水を行うためのシャワーヘッドに限定されるものでなく、種々の態様の吐水（通常吐水、泡沫吐水等）を行うための吐水ヘッド等を例示することもできる。また、「設置部」としては、例えば、デッキ部（台部）等を例示できる。更に、「水栓本体部」は、吐止水の選択機構のみを内蔵してもよいし、吐水量の選択機構や、湯と水の混合機構（請求項４を参照）を内蔵してもよい。また、「流体」は、「湯」、「水」、若しくは、「湯と水を混合した混合水」の何れであってもよい。
【００１９】
請求項２の発明の接続具は、請求項１に記載の接続具において、
前記流出管の突端部が接続される接続口の開口方向と、前記ホースの他端部が接続される接続口の開口方向とが形成する角度が、２０度以下の鋭角若しくは１６０度以上の鈍角とされることを特徴とする。
【００２０】
請求項２の発明では、ホースの他端部が接続される接続口の開口方向を鉛直方向により近づけるため、副管状部の管状本体部側方への突出量を少なくすることができる。
【００２１】
請求項３の発明の接続具は、請求項１又は請求項２に記載の接続具において、
前記副管状部の内壁には、前記ホースの他端部を螺合固定するための雌ネジ部が設けられるとともに、
前記雌ネジ部を構成するネジ溝が、前記管状本体部の管壁と前記膨出部とを縦断することを特徴とする。
【００２２】
請求項３の発明では、管状本体部の管壁を雌ネジ部の形成個所として用い、ホースの他端部を管状本体部の管壁と膨出部の双方に螺合するため、ホースの他端部を接続具に対してより確実に固定できる。
【００２３】
請求項４の発明の接続具は、請求項１〜３の何れかに記載の水抜き栓付き接続具において、
前記水栓本体部には湯と水を混合するための混合機構が内蔵されるとともに、
前記水栓本体部に給湯を行うための給湯管と、前記水栓本体部に給水を行うための給水管とが、前記挿通部に挿通されることを特徴とする。
【００２４】
請求項４の発明では、「水栓本体部に混合機構が内蔵するとともに、水栓本体部から給湯管及び給水管を突出する状態に備える水栓（湯水混合水栓）」への適用例を述べている。この水栓では、挿通部に計４本の管状体（流出管、ホース、給湯管、給水管）を挿通することが必要なため、ホースにおける「挿通部の幅方向（円形孔の場合、径方向）に沿った広がり」が大きくなると、ホースと流出管とを接続しない状態としなければ、水栓を設置部に設置する作業がより一層、困難となる。これに対して、請求項４の発明では、前述のように、接続具の「挿通部の幅方向（円形孔の場合、径方向）に沿ったサイズや、ホースにおける「挿通部の幅方向（円形孔の場合、径方向）に沿った広がり」を抑制するため、ホースと流出管とを接続したままの状態で、しかも、挿通部に流出管及びホースのみならず、給湯管と給水管とを挿通しつつも、水栓を設置部に円滑に設置することが容易となる。
【００２５】
請求項５の発明の水栓は、請求項１〜４の何れかに記載の接続具を備えることを特徴とする。
【００２６】
請求項５の発明の水栓では、効率な施工を行うことができるとともに、ホースと接続具の接続部分からの「水漏れ」を防止できる。
【発明の効果】
【００２７】
以上のように、請求項１〜４の各発明の接続具によると、寒冷地仕様の水栓の施工性を向上させることができるとともに、ホースとの接続部分からの「水漏れ」を防止できる。また、請求項５の発明の水栓によると、効率な施工を行うことができるとともに、ホースと接続具の接続部分からの「水漏れ」を防止できる。
【図面の簡単な説明】
【００２８】
【図１】各実施例の水栓の縦断面図である。
【図２】実施例１の接続具等を示す縦断面図である。
【図３】実施例１の接続具を示す縦断面図である。
【図４】実施例１の接続具本体を示す縦断面図（管状本体部を実線で示し、膨出部を破線で示す。）である。
【図５】（ａ）は図４のａ−ｏ−ａ断面図（管状本体部及び膨出部を実線で示す。）、（ｂ）は図４のａ−ｏ−ａ断面図（管状本体部を実線で示し、膨出部を破線で示す。）である。
【図６】実施例１の水栓の施工例を説明するための説明図である。
【図７】実施例１の水栓の施工例を説明するための説明図である。
【図８】（ａ）は従来例の寒冷地仕様の水栓と水受けトレイを示す説明図、（ｂ）は実施例の水栓と水受けトレイを示す説明図、（ｃ）は従来例の一般地仕様の水栓と水受けトレイを示す説明図である。
【図９】実施例２の接続具等を示す縦断面図である。
【図１０】実施例２の接続具本体を示す縦断面図（管状本体部を実線で示し、膨出部を破線で示す。）である。
【図１１】従来例の一般地仕様の水栓の施工例を示す説明図である（寒冷地仕様の水栓の施工例を括弧内に付記している。）。
【図１２】従来例の寒冷地仕様の水栓において、上面設置を行う場合の問題点を説明するための説明図である。
【発明を実施するための形態】
【００２９】
次に、本発明に係わる「接続具」の実施の形態を図面に従って詳細に説明する。
【実施例１】
【００３０】
本実施例では、接続具５０の詳細な説明に先立ち、適用対象となる水栓１等の概略について、図１を用いて簡単に説明する。この水栓１は、デッキ部（台部）２に設置して使用されるデッキタイプの水栓１である。この水栓１は、デッキ部（台部）２上に設置される水栓本体１０と、水栓本体１０の上方に設置される操作部（操作レバー）１９と、シャワーヘッド２０と、シャワーホース３０と、ホースガイド（図２に図示）３６と、ホースストッパー３８（図２に図示）とを備えている。
【００３１】
デッキ部（台部）２は設置部の具体例を構成するものであり、デッキ部（台部）２の下方には下部空間３が設けられている。また、デッキ部（台部）２には、表裏面（上下面）を貫通する挿通孔２ａが設けられている。尚、この水栓１（ひいては、シャワーヘッド２０）を使用者が使用する空間５（以下、「使用空間５」といい、浴室内の空間、洗面所内の空間、台所内の空間等を例示できる。）は、デッキ部（台部）２の表側（上面部側）に位置している。そして、この使用空間５は、水栓本体１０の内部空間（後述する通過路Ｓ）と、挿通孔２ａとを通じて下部空間３に連絡されている。
【００３２】
水栓本体１０は、水栓本体部の具体例を構成するものであり、略円柱型の外形を備える基体部１１と、基体部１１の外周面においてその下方側の部位から上がり傾斜状に突出する支持部１５と、を備えている。また、水栓本体１０は、その下面部（但し、シール部材等を挟んだ状態である。）で挿通孔２ａに蓋をするような状態でデッキ部（台部）２上に搭載されている。
【００３３】
図１に示すように、水栓本体１０の上方側には、弁装置１８が内蔵されている。この弁装置１８としては、例えば、湯と水の混合と、吐止水の選択と、吐水量の調節を行うための摺動弁を例示できる。また、操作部（操作レバー）１９は、弁装置１８に操作を施すために使用される。この弁装置１８は、吐止水の選択機構と、吐水量の選択機構と、湯と水の混合機構とを構成している。但し、各請求項の発明では、水栓本体１０に「吐止水の選択機構を構成する弁装置」を内蔵してもよし、吐止水の選択機構及び吐水量の選択機構を構成する弁装置を内蔵してもよいが、この場合、「湯と水の混合機構を構成する混合用の弁装置」を本水栓１から排除してもよいし、別途配設してもよい。そして、「混合用の弁装置」を別途配設する態様では、この「混合用の弁装置」を水栓本体１０に内蔵したり、水栓本体１０外に配設することができる。
【００３４】
図１に示すように、水栓本体１０の下面部からは、弁装置１８に給湯を行うための給湯管１２Ｗ（図６及び図７に図示）と、弁装置１８に給水を行うための給水管１２Ｃと、弁装置１８から流出する湯水（弁装置１８で所望の温度に調温された湯水、若しくは、本水栓１の１次側の調温部で、所望の温度に調温された湯水）をデッキ部（台部）２の下方に到達させるための流出管１２Ｒとが突出している。そして、この給湯管１２Ｗと、給水管１２Ｃと、流出管１２Ｒは、挿通孔２ａを通じてデッキ部（台部）２の下方に到達している。
【００３５】
図１に示すように、支持部１５は、略筒形状に構成されると共に、その上端部１５ａ側の内壁面に雌型のセレーション１５ｂが設けられている。また、支持部１５の内部空間１５ｃは、支持部１５の上端部１５ａで、水栓本体１０の外部に開放されると共に、支持部１５の下端部で基体部１１の内部空間１３と連通している。更に、基体部１１の内部空間１３の下端部は、水栓本体１０の下面部において下方に開放されている。このため、支持部１５の内部空間１５ｃは、基体部１１の内部空間１３と挿通孔２ａとを介して下部空間３に連絡されている。
【００３６】
シャワーヘッド２０は「吐水ヘッド」の具体例を構成するものである。そして、図１に示すように、その基端部には、前述の「雌型のセレーション１５ｂ」とセレーション嵌合可能な「雄型のセレーション部２１」が設けられ、支持部１５の上端部に対して着脱自在となっている。
【００３７】
シャワーホース３０はホースの具体例を示すものであり、可撓性を備えるフレキシブルホースを用いて構成されている。そして、図２に示すように、可撓性を備えるパイプ状のホース本体３１と、その外周面を包囲するメタル部３２とを備えている。このメタル部３２は、略蛇腹状の外形を備えると共に、凹部３２ａと突部３２ｂとをシャワーホース３０の軸心方向に沿って交互に配置している。尚、凹部３２ａ及び突部３２ｂは、何れも、ホース本体を、斜め傾斜状に旋回する経路を描いている。
【００３８】
このシャワーホース３０は、流出管１２Ｒの端末部と、シャワーヘッド２０の基端部とを連絡するために用いられる。つまり、図１に示すように、シャワーホース３０の一端部（下流側の端部）３０ａはシャワーヘッド２０の基端部に接続されている。また、図２に示すように、シャワーホース３０の他端部（上流側の端部）３０ｂは、後述する接続具５０を介して流出管１２Ｒの突端部１２１Ｒと接続されている。なお、シャワーホース３０の他端部３０ｂ側は、接続具５０との接続に関与する接続金具３５によって構成されている。この接続金具３５は、管状体によって構成され、外周部のうちで、シャワーホース３０の他端部３０ｂ寄りに相当する位置に雄ネジ部３５ｍを備える。
【００３９】
本実施例では、図１及び図２を用いて示されるように、このシャワーホース３０が、支持部１５の内部空間１５ｃと、基体部１１の内部空間１３と、デッキ部の挿通孔２ａとを通じて、下部空間３に引き出し可能に挿入されている。尚、本実施例では、支持部１５の内部空間１５ｃ及び基体部１１の内部空間１３によって、水栓本体１０の「通過路Ｓ」の具体例を構成する。
【００４０】
本実施例では、シャワーヘッド２０の雄型のセレーション２１を、支持部１５の雌型のセレーション１５ｂにセレーション嵌合させ、シャワーヘッド２０を支持部１５に支持すると、シャワーホース３０は収納状態となる。つまり、シャワーホース３０のうちで、シャワーヘッド２０の近傍に位置する部分３０ａは、通過路Ｓと挿通孔２ａに挿入された状態となり、シャワーホース３０のその他の部分３０Ａが下部空間３に収納された状態となる。そして、デッキ部（台部）２の前方等に位置する使用者が、シャワーヘッド２０を自己の方向に引き寄せると、シャワーホース３０のその他の部分３０Ａが、シャワーヘッド２０の近傍に位置する部分３０ａと共に、使用者の側に引き出される。
【００４１】
本実施例では、図７に示すように、下部空間３において、給湯管１２Ｗの突端部１２１Ｗが給湯配管８Ｗの端末部に接続され、給水管１２Ｃの突端部１２１Ｃが給水配管８Ｃの端末部に接続されている。また、接続具５０を用いて、流出管１２Ｒの突端部１２１Ｒと、シャワーホース３０の他端部３０ｂとが接続されている。なお、給湯配管８Ｗの端末部と給水配管８Ｃの端末部は雌型のワンタッチジョイントによって構成され、給湯管１２Ｗの突端部１２１Ｗ及び給水管１２Ｃの突端部１２１Ｃは、雄型のワンタッチジョイントによって構成されている。また、流出管１２Ｒの突端部１２１ＲはプラグＪ５によって構成されている。
【００４２】
図２に示すように、ホースガイド３６は下部空間３において、流出管１２Ｒに装着され、ホースストッパー３８は下部空間３において、シャワーホース３０に装着されている。このうち、ホースガイド３６は、クリップ部３６ａと、ホース挿通部３６ｂと、クリップ部３６ａ及びホース挿通部３６ｂを連結する連結部３６ｃと、を備えている。このホースガイド３６は、クリップ部３６ａで流出管１２Ｒの突端部１２１Ｒ側を挟持することで、流出管１２Ｒに固定されている。また、ホース挿通部３６ｂは略円筒状の本体部３６１ｂを備え、この本体部３６１ｂの軸心は流出管１２Ｒの突端部１２１Ｒ側の軸心と略平行とされている。そして、この本体部３６１ｂにはシャワーホース３０が遊びを持った状態で挿通されている。
【００４３】
ホースストッパー３８は略筒状（詳しくは、両端が開口部とされた略樽型形状）に構成され、ホースガイド３６のホース挿通部３６ｂの配設位置よりも下方において、略円柱状の内部空間にシャワーホース３０を挿入した状態でシャワーホース３０に装着されている。このホースストッパー３８は、シャワーホース３０に対して相対移動を起こさない状態に装着されているため、シャワーホース３０が引き出されようとすると、ホースストッパー３８もシャワーホース３０の引き出し方向に移動しようとする。但し、このホースストッパー３８の外径が、本体部３６１ｂの内径よりも大きくされているため、ホースストッパー３８が、ホースガイド３６のホース挿通部３６ｂの下面に当接すると、シャワーホース３０をそれ以上引き出すことが不可能となる。
【００４４】
次に、接続具５０について詳細に説明する。この接続具５０は、図３に示すように、接続具本体５１と、接続具本体５１の上端部に設けられたカプラー６０と、接続具本体５１の下端部に装着された水抜き栓５７とを備える。また、接続具本体５１は、管状本体部５２と接続具本体５１から膨出された膨出部５４とを備える。なお、図３においては、接続具本体５１の上端に保護キャップ５０Ｐを装着した上端が図示されている。この保護キャップ５０Ｐが接続具本体５１の状態に装着されると、カプラー６０を構成するスリーブ６１（後述する。）が下方に押圧された状態となり、この保護キャップ５０Ｐを取り外すと、スリーブ６１はコイルスプリング６２（後述する。）の付勢力で上昇する。
【００４５】
管状本体部５２は、図３及び図４に示すように、上下方向中間部にクランク状に屈曲する屈曲部５２ａを有する略管状体によって構成されている。つまり、屈曲部５２ａの上方に略直管状に構成される第１の管状部５２ｂを配設し、屈曲部５２ａの下方に略直管状に構成される第２の管状部５２ｃを配設している。また、管状本体部５２では、第１の管状部５２ｂにおいて上下方向に形成される管軸が、屈曲部５２ａにおいて横方向に屈曲され、第２の管状部５２ｃにおいて再び、上下方向に向けられる。
【００４６】
管状本体部５２の上端（つまり、第１の管状部５２ｂの上端）では第１の接続口５２ｄが上方に向かって開口し、管状本体部５２の下端では着脱口５２ｅが下方に向かって開口している。この第１の接続口５２ｄは流出管１２Ｒの突端部１２１Ｒが接続される接続口である。そして、管状本体部５２の上端側（第１の接続口５２ｄの側）にはカプラー６０が設けられており、このカプラー６０に対して、流出管１２Ｒの突端部１２１Ｒ側（プラグＪ５）を挿入するだけで、第１の接続口５２ｄと流出管１２Ｒの突端部１２１Ｒとが接続可能とされている。
【００４７】
なお、カプラー６０は、図３に示すように、管状本体部５２の上端側に装着されたスリーブ６１と、このスリーブ６１を上方に付勢するコイルスプリング６２と、管状本体部５２上端側の管壁に複数設けられた孔に装着されたボール６３とを備えている。そして、コイルスプリング６２の付勢力に対抗しつつスリーブ６１を下方に押すと、ボール６３は管状本体部５２の半径外側方向に移動し（図３の状態を参照）、スリーブ６１を上方に戻すと、ボール６３は管状本体部５２の半径内側方向に移動する（図２の状態を参照）。更に、接続具本体５１の上端側内壁面にはパッキング６５が配設されている。そして、スリーブ６１を下方に押し下げながら、管状本体部５２の上端の第１の接続口５２ｄの内側にプラグＪ５を挿入したところで、スリーブ６１を上方に復帰させると、ボール６３がプラグＪ５の外周の凹溝Ｊ６に、はまり込むとともに、スリーブ６１によって「ボール６３の半径外側方向への移動」が禁止されるため、プラグＪ５が管状本体部５２に抜け止め固定される（図２を参照）。
【００４８】
図３及び図４に示すように、管状本体部５２の下端部側（つまり、第２の管状部５２ｃの下端部側）は、内径及び外径を拡大する拡径部５２ｇとされ、この拡径部５２ｇの内壁面には雌ネジ部５２ｈが設けられている。そして、水抜き栓５７が、この拡径部５２ｇを中心とする部位に上下動可能な状態に装着されている。つまり、水抜き栓５７は、図３に示すように、第２の管状部５２ｃにおいて拡径部５２ｇよりも上方の部位（以下、「一般管状部」という。）５２ｊに摺動状態で挿入可能な外径を備える小径部５７ａと、拡径部５２ｇの雌ネジ部５２ｈと螺合可能な雄ネジ部５７ｃを備える中径部５７ｂと、拡径部５２ｄと略同一の外径を備える大径部５７ｄとを備える。
【００４９】
小径部５７ａの上端側の外周面の周回溝には、小径部５７ａと一般管状部５２ｊとの間の水密性が確保するためのシールパッキン５７ｇが装着されている。また、図２に示すように、小径部５７ａの下端側の外周面では通水孔５７ｈが開口している。そして、水抜き栓５７の軸心位置に設けられた通水路５７ｉの上端部が、通水孔５７ｈを用いて側方に開放され、通水路５７ｉの下端部は抜き栓５７の底面において下方に開放されている。そして、雌ネジ部５２ｈに雄ネジ部５７ｃを螺合させ、水抜き栓５７を上方に螺進させ、シールパッキン５７ｇによって、小径部５７ａと一般管状部５２ｊとの間の水密性が確保されると（図２を参照）、第２の管状部５２ｃからの水抜きを行うことができない。一方、水抜き栓５７を下方に移動させると、小径部５７ａと一般管状部５２ｊとの間のシールが解除され、第２の管状部５２ｃからの水抜きを行うことができる（図３を参照）。
【００５０】
膨出部５４は、図３〜図５に示すように、軸心を斜め上下に向けた略トンネル形状に構成されている。ここで、図４及び図５（ｂ）においては、説明上の便宜のため、管状本体部５２を実線で図示し、膨出部５４を破線で図示している。
【００５１】
膨出部５４は、一般管状部５２ｊの上半部から側方に向かって突出している。そして、第１の管状部５２ｂの直下において、一般管状部５２ｊの管壁５２１ｊの一部とともに、管軸Ｋ１を下り傾斜状とする副管状部５５を構成している。つまり、図５（ａ）及び（ｂ）に示すように、副管状部５５の管壁５５ａのうちの周方向に沿った一部５５ｂは、一般管状部５２ｊの管壁５２１ｊの一部によって構成され、管壁５５ａの残部は膨出部５４によって構成されている。すなわち、略トンネル形状の膨出部５４は、「トンネルの経路方向と直交する開口部」が、一般管状部５２ｊの管壁５２１ｊの一部で封止された状態となり、この膨出部５４と「管壁５２１ｊの一部」とが、管状体（副管状部５５）を構成している。
【００５２】
図３及び図４に示すように、膨出部５４の基端部は第１の管状部５２ｂの下端と一体化されるとともに、第１の管状部５２ｂの底部が下方に向かって開放されているため、副管状部５５の管内空間は管状本体部５２の管内空間と連通している。また、副管状部５５の管軸Ｋ１（図４に図示）と、第１の管状部５２ｂの管軸Ｋ２（図４に図示）とがなす角度は約１７０度とされている。また、一般管状部５２ｊにおいて膨出部５４と対向する面５２２ｊは、管軸Ｋ１の傾斜角と略同一の傾斜角を有する傾斜面とされている。このため、副管状部５５の流路断面が管軸Ｋ１方向に沿って均一化されている。
【００５３】
図２〜図４に示すように、副管状部５５の開口部は、シャワーホース３０の他端部３０ｂを接続具５０に接続するための接続口（以下、「第２の接続口」という。）５５ｈを構成している。この第２の接続口５５ｈの開口方向と、第１の接続口５２ｄの開口方向とがなす角度は約１７０度とされている。そして、副管状部５５の開口部側の内壁面には、「シャワーホース３０の他端部３０ｂ寄りの雄ネジ部３５ｍ」を螺合可能な雌ネジ部５５ｂが設けられている。この雌ネジ部５５ｂを構成するネジ溝は、副管状部５５の管軸Ｋ１周りを螺旋状に周回しつつ、膨出部５４と管状本体部５２との間を縦断している。なお、本実施例では、副管状部５５の管軸Ｋ１と、第１の管状部５２ｂの管軸Ｋ２と、第２の管状部５２ｃの管軸Ｋ３とが同一平面上に位置している。また、水抜き栓５７が、第２の接続口５５ｈよりも下方に配設されるため、水抜き栓５７の操作が容易である。
【００５４】
次に、本水栓１の施工例を説明する。この水栓１は、水栓１の製造メーカから出荷される前の段階で、図６に示す形態をとる。つまり、水栓本体部１０の底面から給湯管１２Ｗと、給水管１２Ｃと、流出管１２Ｒと、シャワーホース３０とが突出する状態となる。その際、給湯管１２Ｗ、給水管１２Ｃ及び流出管１２Ｒは、水栓本体部１０の底面から垂下する状態とされる。また、流出管１２Ｒの突端部１２１Ｒ（プラグＪ５）がカプラー６０に装着され、流出管１２Ｒの突端部１２１Ｒから接続具５０が垂下する状態となる。
【００５５】
更に、製造メーカから出荷される前の段階で、副管状部５５の雌ネジ部５５ｂに、シャワーホース３０の雄ネジ部３５ｍ（他端部３０ｂ）が螺合される（図２の状態を参照）。このとき、所定の測定器等を用いて雄ネジ部３５ｍの雌ネジ部５５ｂに対する締付力（締付トルク）が適正値に規制される。
【００５６】
この状態において、シャワーホース３０の他端部３０ｂ側が、接続具５０の軸心（鉛直方向）に対して１７０度の角度で形成しつつ、接続具５０から突出する。つまり、シャワーホース３０を接続具５０に近い側から観察すると、接続具５０の近傍で接続具５０に沿って下降した後、略円弧に湾曲され、進路を上方に向けた状態とされる。つまり、シャワーホース３０は、水栓本体部１０の底面と接続具５０との間で滑らかなループを描くことになる。そして、シャワーホース３０は、水栓本体部１０の下方で、長軸を上下に向けた半長円状の経路を描くため、シャワーホース３０の挿通孔２ａの径方向（図中の矢印Ｘの方向）への広がりが抑制される。
【００５７】
本水栓１では、このように、流出管１２Ｒとシャワーホース３０とを予め接続した状態であっても、シャワーホース３０の広がりが抑制できるとともに、接続具５０自体の「挿通孔２ａの径方向（図中の矢印Ｘの方向）に沿ったサイズ」を抑制できるため、施工現場における施工性が向上する。つまり、水栓の施工業者は、流出管１２Ｒとシャワーホース３０とを予め接続した状態で、湯管１２Ｗと、給水管１２Ｃと、流出管１２Ｒと、シャワーホース３０とをデッキ部（台部）２の上方から挿通孔２ａに挿通することができる。この後、水栓本体１０をデッキ部（台部）２の上面に固定することで、水栓本体１０の設置を完了する。
【００５８】
そして、水栓の施工業者は、図７に示すように、下部空間３において、「給湯管１２Ｗの突端部側と、給水管１２Ｃの突端部側を湾曲させ、両突端部の間隔を、給湯配管８Ｗの端末部と給水配管８Ｃの端末部との間隔に一致させた後、給湯管１２Ｗの突端部を給湯配管８Ｗの端末部に接続し、給水管１２Ｃの突端部を給水配管８Ｃの端末部に接続する作業」と、「ホースガイド３６を装着する作業」と、「ホースストッパー３８を装着する作業」等を行うと、本水栓１の設置を完了する。なお、給湯配管８Ｗ及び給湯管１２Ｗの接続と、給水配管８Ｃ及び給水管１２Ｃの接続は、前者を後者に押し込むこと等によって簡単に完了する。
【００５９】
以上のように、本実施例の接続具５０では、第２の接続口５５ｈを構成する副管状部５５を、「単独で筒形状を構成する管状体（つまり、外周部の全周囲が開放された管状体）」ではなく、管状本体部５２の管壁５２１ｊの一部と膨出部５４とを用いて構成する。また、副管状部５５の管軸Ｋ１が上り傾斜状とされるため、副管状部５５の管状本体部５２側方への突出量が少なくなる（膨出部の膨出量に止まる。）。従って、接続具５０の「挿通孔２ａの径方向に沿ったサイズ」を抑制できる。しかも、流出管１２Ｒとシャワーホース３０とを予め接続した状態であっても、シャワーホース３０の「挿通孔２ａの径方向に沿った広がり」を抑制できるため、「上面設置」が容易となる。
【００６０】
このように、実施例１の接続具５０によると、予め、水栓の製造メーカ等でシャワーホース３０と接続具５０とを接続すればよいため、寒冷地仕様の水栓１の施工性を向上させることができる。また、水栓の製造メーカ等において、締付トルクを適正値に規制しつつ、シャワーホース３０と接続具５０とを接続すればよいため、シャワーホース３０と接続具５０との接続部分からの「水漏れ」を防止することができる。
【００６１】
また、本実施例の接続具５０を用いると、一般地仕様の水栓と寒冷地仕様の水栓とで生ずる「ホース引き出し量の相違」を少なくすることができる。つまり、前述の「寒冷地仕様の水栓１００Ｂ（図１２を参照）」では、図８（ａ）に示すように、水栓本体１００の下方において、シャワーホース１２０が描く経路は水平方向に長軸を向けた半長円状の経路となり易い。つまり、前述の「接続具１５０Ａを用いた一般地仕様の水栓１００Ａ（図１１を参照）」において、「シャワーホース１２０と流出管１１０とが接続具１５０Ａで接続されて描く経路｛上下に長尺な略半長円状の経路であって、図８（ｃ）を参照｝に比べて、遠回りの経路を経て、デッキ部２００の上方に引き回わされることになる。従って、「寒冷地仕様の水栓１００Ｂ（従来例）」では、「一般地仕様の水栓１００Ａ（従来例）」に比べて、同じ長さのホース１２０を用いても、デッキ部２００の上方への引き出し量が少なくなっていた（例えば、約１０〜３０ｍｍ程度）。
【００６２】
一方、本実施例の接続具５０を用いると、図８（ｂ）に示すように、シャワーホース３０に「一般地仕様の水栓１００Ａ（従来例）」の場合と略同様な経路を描かせつつ、デッキ部２００の上方に引き回わすことができる。従って、「一般地仕様の水栓１００Ａ（従来例）」に比べて、同じ長さのシャワーホース３０を用いた場合、デッキ部２００の上方への引き出し量の差を少なくできる（例えば、約５ｍｍ程度）。
【００６３】
更に、本実施例の接続具５０を用いると、シャワーホース３０を伝わり、デッキ部２下方に到達する流体（湯、水若しくは混合水）を受ける水受けタンクや水受けトレイの設置に関しても、一般地仕様と同等の設定が可能になり、この点からも、水栓１の施工性が向上する。つまり、前述の従来例に係る「寒冷地仕様の水栓１００Ｂ（従来例）」では、図８（ａ）に示すように、水平方向に長い経路を描くシャワーホース１２０に合わせて、大型の水受けトレイＴを設置することが必要である。ところが、図８（ｂ）及び（ｃ）に示すように、本実施例の接続具５０を用いる場合と、前述の「一般地仕様の水栓１００Ａ（従来例）」の場合とにおいて、デッキ部２、２００の下方でシャワーホース３０、１２０が略同様な経路を描く。従って、本実施例の接続具５０を用いる場合と、前述の図１１に示す「一般地仕様の水栓１００Ａ（従来例）」の場合とにおいて、同様なサイズの水受けトレイＴを同様な設置すればよいからである。
【００６４】
また、本実施例の接続具５０を用いると、シャワーホース３０の接続角度が自然な角度となり、シャワーホース３０がデッキ部２、２００の下方で自然なループを描く（一般地仕様の水栓と同様なループを描く）。このため、使用時のシャワーホース３０（メタルホース）への負担が軽減され、品質的な向上（経年劣化の改善効果）を図ることができる。
【００６５】
更に、本実施例の接続具５０では、第２の管状部５２ｃに水抜き栓５７を配設する。つまり、通常時に使用する「第１の管状部５２ｂ及び副管状部５５で構成される管状部」には水抜き栓５７を配設しない。このため、「第１の管状部５２ｂ及び副管状部５５で構成される管状部」の流路抵抗を、水抜き栓５７によって大きくすることを防止できる。
【実施例２】
【００６６】
次に、実施例２の接続具５０について、図９及び図１０を用いて説明する。この接続具５０は、膨出部８４の膨出箇所と、副管状部５５の管軸Ｋ１の方向が実施例１の接続具５０と異なる。つまり、実施例２の接続具５０も、図９に示すように、接続具本体５１と、接続具本体５１の上端部に設けられたカプラー６０と、接続具本体５１の下端部に装着された水抜き栓５７とを備え、接続具本体５１は、管状本体部５２と接続具本体５１から膨出された膨出部８４とを備える。なお、図１０においては、説明上の便宜のため、管状本体部５２を実線で図示し、膨出部８４を破線で図示している。
【００６７】
実施例２の管状本体部５２も、図１０に示すように、屈曲部５２ａの上下に第１の管状部５２ｂと第２の管状部５２ｃとを配設している。また、実施例２の膨出部８４は、軸心を斜め上下に向けた略トンネル形状とされる膨出本体８４ａと、膨出本体８４ａの下端部から水平に延びる底部８４ｂとを備える。この膨出部８４は、一般管状部５２ｊの下方側において側方に向かって突出している。そして、第１の管状部５２ｂの直下において、一般管状部５２ｊの管壁５２１ｊの一部とともに、管軸Ｋ１を上がり傾斜状とする副管状部８５を構成している。つまり、この副管状部８５の管壁８５ａのうちの周方向に沿った一部８５ｂは、一般管状部５２ｊの管壁５２１ｊの一部によって構成され、管壁８５ａの残部は膨出部８４によって構成されている。
【００６８】
一般管状部５２ｊにおいて副管状部８５の内側に位置する部位が、管壁５２１ｊを貫通する貫通孔５２１ｍとされているため、副管状部８５の管内空間は管状本体部５２の管内空間と連通している。また、副管状部８５の管軸Ｋ１と、第１の管状部５２ｂの管軸Ｋ２とがなす角度は約１０度とされている。また、一般管状部５２ｊにおいて膨出部８４と対向する面５２２ｎは、管軸Ｋ１の傾斜角と略同一の傾斜角を有する傾斜面とされている。このため、副管状部８５の流路断面が管軸Ｋ１方向に沿って均一化されている。
【００６９】
副管状部８５の開口部は、シャワーホース３０の他端部３０ｂを接続具５０に接続するための接続口（つまり、第２の接続口）８５ｈを構成している。この第２の接続口８５ｈの開口方向と、第１の接続口５２ｄの開口方向とがなす角度は約１０度とされている。そして、副管状部８５の開口部側の内壁面には、「シャワーホース３０の他端部３０ｂ寄りの雄ネジ部３５ｍ」を螺合可能な雌ネジ部８５ｂが設けられている。この雌ネジ部８５ｂを構成するネジ溝は、副管状部８５の管軸Ｋ１周りを螺旋状に周回しつつ、膨出部８４と管状本体部５２との間を縦断している。
【００７０】
実施例２によると、実施例１の効果に加えて以下の効果を得ることができる。つまり、シャワーホース３０を副管状部８５に接続すると、シャワーホース３０の他端部３０ｂ側が、接続具５０の軸心（鉛直方向）に対して１０度の角度で形成しつつ、接続具５０から突出する。つまり、シャワーホース３０を接続具５０に近い側から観察すると、接続具５０の近傍で接続具５０に沿って上昇して挿通孔２ａに到達させることができる。すなわち、副管状部８５を起点とする「シャワーホース３０の経路」を、一旦下方に向けなくても（つまり、半長円状の経路を描かなくても）、シャワーホース３０を挿通孔２ａに到達させることができる。このため、実施例２の接続具５０を用いると、シャワーホース３０の全長を短くしても、シャワーホース３０の引き出し量を確保することができる。
【００７１】
尚、本各発明の範囲は前記各実施例に示す具体的な態様に限定されず、本各発明の範囲内で種々の変形例を例示できる。即ち、各実施例では、吐水ヘッドを着脱自在に支持する支持部を、水栓本体部に設けられる態様を例示したが、各請求項の発明では、支持部を設置部において水栓本体部と離間する位置に設けたり、設置部の周囲の壁部等に設けることもできる。また、実施例では、ホースが設置部の下方に引き出し可能となる態様を例示したが、各請求項の発明では、ホースを設置部の下方から引き出し不可能としてもよい。
【産業上の利用可能性】
【００７２】
本発明は、例えば、水栓の製造、販売、施工、加工等を行う分野で利用可能である。
【符号の説明】
【００７３】
１；水栓、
２、２００；デッキ部（設置部）、
２ａ；挿通孔（挿通部）、
１０；水栓本体（水栓本体部）、
１２Ｗ；給湯管、
１２Ｃ；給水管、
１２Ｒ；流出管、
１５；支持部、
１８；弁装置（吐止水の選択機構、吐水量の選択機構、湯と水の混合機構）、
２０；シャワーヘッド（吐水ヘッド）、
３０；シャワーホース（ホース）、
３０ａ；一端部、
３０ｂ；他端部、
５０、１５０Ａ、１５０Ｂ；接続具、
５１；接続具本体、
５２；管状本体部、
５２ｄ；第１の接続口、
５２ｅ；着脱口、
５４、８４膨出部、
５５、８５；副管状部、
５５ｈ、８５ｈ；第２の接続口、
５５ｂ、８５ｂ；雌ネジ部、
５７；水抜き栓、
Ｓ；通過路。
【図１】
2011021425.tif 000003
【図２】
2011021425.tif 000004
【図３】
2011021425.tif 000005
【図４】
2011021425.tif 000006
【図５】
2011021425.tif 000007
【図６】
2011021425.tif 000008
【図７】
2011021425.tif 000009
【図８】
2011021425.tif 000010
【図９】
2011021425.tif 000011
【図１０】
2011021425.tif 000012
【図１１】
2011021425.tif 000013
【図１２】
2011021425.tif 000014